(57)【要約】【課題】これまでの発光リードの考案形態では、その形状や材質から肥大にならざるを得ず、一般的に用いられている伸縮式リードには不適切であった。また、耐摩耗性および強張力強度にも難があった。【解決手段】本考案では、発光リード本体の光源として有機エレクトロルミネッセンスロープを採用することにより、コンパクトサイズを可能にした。また、伸縮式リードの耐摩耗性および強張力強度を補強するため、かつ、被覆による輝度の劣化を抑制するため、有機エレクトロルミネッセンス発光体の周囲に光透過性の合成樹脂保護部材を設けた発光芯、および前記発光芯の周囲に合成繊維により組紐構造による補強被覆を設けたロープ部、あるいは、板状の合成繊維による補強部材を結合したロープ部を備えた発光リードとする。【選択図】  図１
0003125947.tif 000002
【実用新案登録請求の範囲】
【請求項１】
有機エレクトロルミネッセンス発光体を内蔵したロープ部を備えたことを特徴とするペット用発光リード。
【請求項２】
有機エレクトロルミネッセンス発光体の周囲に光透過性の合成樹脂保護部材を設けた発光芯、および前記発光芯の周囲に合成繊維により組紐構造による補強被覆を設けたロープ部を備えたことを特徴とするペット用発光リード。
【請求項３】
有機エレクトロルミネッセンス発光体の周囲に光透過性の合成樹脂保護部材を設けた発光芯、および前記発光芯に板状の合成繊維による補強部材を結合したロープ部を備えたことを特徴とするペット用発光リード。
【請求項４】
有機エレクトロルミネッセンス発光体を内蔵したロープ部、および前記ロープ部を巻き取って収納する少なくとも１面が透明なロープ収納ケース部を備えたことを特徴とするペット用発光リード。
【請求項５】
有機エレクトロルミネッセンス発光体の周囲に光透過性の合成樹脂保護部材を設けた発光芯と前記発光芯の周囲に合成繊維により組紐構造による補強被覆を設けた構造のロープ部、および前記ロープ部を巻き取って収納する少なくとも１面が透明なロープ収納ケース部を備えたことを特徴とするペット用発光リード。
【請求項６】
有機エレクトロルミネッセンス発光体の周囲に光透過性の合成樹脂保護部材を設けた発光芯と前記発光芯に板状の合成繊維による補強部材を結合したロープ部、および前記ロープ部を巻き取って収納する少なくとも１面が透明なロープ収納ケース部を備えたことを特徴とするペット用発光リード。
【考案の詳細な説明】
【技術分野】
【０００１】
本考案は、発光リードの光源として有機エレクトロルミネッセンスロープを用いたペット用の発光リードに関する。
【背景技術】
【０００２】
夜間にペットを散歩させるとき、危険回避のために自分およびペットの存在を他者に知らせる様々な方法が採られてきた。例えば、反射テープを首輪やリードに取り付けたり、透明チューブあるいはベルトに発光ダイオードを内蔵させ点灯させたり、あるいは、レーザーライトをリードの先に取り付けたりしていた。
【０００３】
例えば「ペット散歩用発光リード」（特許文献１）として、夜間にペットを散歩させる時に、交通事故等の災害を防ぐため、存在を明確にさせるようにする散歩綱（リード）の開発を目的とし、透明チューブ内部に発光ダイオードを装備し、ペットの歩行による発電と、簡単な手動による発電によって発光ダイオードを点灯させ夜間での存在を明確にする発明が開示されている。
【０００４】
また「交通事故から守るリード」（特許文献２）として、夜の散歩の時、車や自転車やバイクからの、交通事故から守るリードを作ることを目的とし、リードが遠くから見ても、ペットの居場所がすぐわかるように、レーザーライトをリードの先に付けるという考案が開示されている。
【０００５】
さらに「ペット用の発光リード」（特許文献３）として、夜間にペットを散歩させるときのリードに発光体を内蔵し、散歩中に危険回避のため自分の存在を相手に知らせるために発光させる発光リードを提供するために、弾性で板状の集光樹脂に光源シートを展着して一体化したものをリード本体に縫着し、光源シートのフレキシブルリード線に接続して引き出された、電線をスイッチに接続しスイッチで発光を制御する考案を開示している。
【０００６】
また、有限会社コムテック社製の商品「ワンダーリード」［平成１８年７月２４日検索］、インターネット＜URL http://www.h3.dion.ne.jp/~comtec/wltop.html＞も、暗闇で発光するリードを提供している。
【特許文献１】特開２００３−４７３６１号公報
【特許文献２】実用新案登録第３０８３９７８号公報
【特許文献３】実用新案登録第３１１８３３０号公報
【考案の開示】
【考案が解決しようとする課題】
【０００７】
上記のような従来の方法においては、反射テープを用いる場合は自発的に発光しないので何らかの外部からの光が必要となる。また、発光ダイオードを内蔵するタイプの方式ではリードが太く、あるいは、幅広くならざるを得ず、伸縮式リードとしては不適切であった。ここでいう、「伸縮式リード」とは、一般的にペット用品として用いられているリードにおいて、引き出しおよび巻取り可能であり、ボタンによりある一定の長さに固定可能な、縦横それぞれ２０ｃｍ程度、厚さ１０ｃｍ以内のコンパクトサイズのリードのことである。例えば、ドイツフレキシ社のフレキシリード（登録商標）という名称のリードが典型的な伸縮式リードである。さらに、夜間の散歩においては暗闇の中での作業（糞の処理など）があり、懐中電灯などを別途準備しなければ不便な状況であった。
【０００８】
そこで、本考案では、輝度を保ち、かつ細く（薄く）、かつ軽量、かつ耐磨耗性、かつ引張強度が強い発光リードを提供することを課題とする。
【課題を解決するための手段】
【０００９】
以上の課題を解決するため、請求項１記載の考案は、有機エレクトロルミネッセンス発光体を内蔵したロープ部を備えたことを特徴とするペット用発光リードである。
【００１０】
請求項２に記載した考案は、有機エレクトロルミネッセンス発光体の周囲に光透過性の合成樹脂保護部材を設けた発光芯、および前記発光芯の周囲に合成繊維により組紐構造による補強被覆を設けたロープ部を備えたことを特徴とするペット用発光リードである。
【００１１】
請求項３に記載した考案は、有機エレクトロルミネッセンス発光体の周囲に光透過性の合成樹脂保護部材を設けた発光芯、および前記発光芯に板状の合成繊維による補強部材を結合したロープ部を備えたことを特徴とするペット用発光リードである。
【００１２】
請求項４に記載した考案は、有機エレクトロルミネッセンス発光体を内蔵したロープ部、および前記ロープ部を巻き取って収納する少なくとも１面が透明なロープ収納ケース部を備えたことを特徴とするペット用発光リードである。
【００１３】
請求項５に記載した考案は、有機エレクトロルミネッセンス発光体の周囲に光透過性の合成樹脂保護部材を設けた発光芯と前記発光芯の周囲に合成繊維により組紐構造による補強被覆を設けた構造のロープ部、および前記ロープ部を巻き取って収納する少なくとも１面が透明なロープ収納ケース部を備えたことを特徴とするペット用発光リードである。
【００１４】
請求項６に記載した考案は、有機エレクトロルミネッセンス発光体の周囲に光透過性の合成樹脂保護部材を設けた発光芯と前記発光芯に板状の合成繊維による補強部材を結合したロープ部、および前記ロープ部を巻き取って収納する少なくとも１面が透明なロープ収納ケース部を備えたことを特徴とするペット用発光リードである。
【考案の効果】
【００１５】
本考案によれば、有機エレクトロルミネッセンス発光体を内蔵したロープ部（有機ELロープ）が自発的に発光し、かつ、高輝度のため、日没後のペットの散歩中に自分およびペットの存在を相手に知らせ注意を喚起させることができる。さらに、有機ELロープが細く軽いため、また、柔軟性があることから、リード全体の大きさをコンパクトにすることが可能であり、引き出しおよび巻取りができる伸縮式発光リードを構成することが可能になる。
【００１６】
この有機ELロープを繊維組紐被覆あるいは中心に透過性を持たせた板状繊維被覆により補強することによって、伸縮式リード特有の引き出し巻き取りの磨耗による損傷も回避でき、かつ、ペットの突発的な動きにより大きな張力がかかっても有機ELロープ本体の損傷を回避することができる。
【００１７】
繊維組紐被覆においては、内部の有機ELロープの露出が大きいのでより輝度が高く保てる。また、中心に透過性を持たせた板状繊維被覆においても輝度の低下を極力抑えることが可能である。伸縮式リードの利点としては、ペットの行動範囲が自由自在であり、急な動きおよび急な停止でも飼い主の腕に負担がかかりにくく、また、リードが自動的に巻き取られることにより垂れ下がらないため地面での磨耗や汚れから守られることが挙げられる。
【００１８】
本考案によれば、高輝度の有機ELロープが透明な材質から成るケース（ロープ収納ケース部）に巻き取られ収納され発光することから、夜間のペットの散歩において必要となるさまざまな作業（糞の処理や餌および飲み物の供給など）を、別途懐中電灯などの器具を準備することなく、暗闇のなかでも問題なく遂行することができる。
【考案を実施するための最良の形態】
【００１９】
本考案を実施するための最良の形態を図を用いて説明する。発光リード本体の一方の末端に接続環を設け、ペットの首輪に繋ぎ、他方の末端は伸縮式リードケース（ロープ収納ケース部）に接続され、発光リード本体は巻き取られリードケースに収納されており、ペットの動きに応じ、自在にリードが伸び縮みし、あるいは、リード固定機構によって適度な長さで固定でき、ペットの行動をコントロールできる。伸縮式リードケースにはリードの長さを調節あるいは固定するボタンがついている。
【００２０】
また、光源のELロープの一端に、フレキシブルリード線に接続された電線を引き出し、電池およびインバータを内蔵したスイッチに接続し、伸縮式リードケースに具備されたスイッチボタンで光のオンオフおよび点滅の切り替えをする。リードを巻き取る透明ケースの材質としては、高強度の化成製品、例えば、アクリルやポリカーボネートなどを用いる。
【実施例１】
【００２１】
添付図面に従って実施例を説明する。図１の２は発光リード本体である。１は透明な伸縮式発光リードケース（ロープ収納ケース部）である。３はリードの長さを調節または固定するためのボタンである。４は光源である有機ELロープの発光のオンオフおよび点滅をコントロールするスイッチである。５はペットの首輪と発光リードとを繋げるフックである。
【００２２】
図１は、伸縮式発光リードの側面図である。引き出された発光リード２から本考案の目的である光が発光する。発光リード２が透明リードケース１に巻き取られることにより、透明リードケース１自体が懐中電灯機能を持つようになる。伸縮調節ボタン３により、リードを自在に伸縮することおよび固定することができる。発光スイッチ４によって、発光リード２の発光のオンオフが可能になり、また、点滅させることが可能である。フック５によって、発光リード２とペットの首輪とをつなぐことができる。
【００２３】
図２は、第二考案で述べた発光リードの断面の斜視図である。真ん中の芯は有機エレクトロルミネッセンスおよび通電のための電線６から成る。その芯のまわりは透明で柔軟な素材から成るチューブ７で覆われている。そのチューブのまわりに合成繊維組紐被覆８を施す。図３は、第三考案で述べた発光リードの断面の斜視図である。真ん中の芯は有機エレクトロルミネッセンスおよび通電のための電線６から成る。その芯もまわりは透明で柔軟な素材からなるチューブ７で覆われている。そのチューブの両側に、チューブからの発光をなるべく妨げないように配置した板状合成繊維９を施す。
【００２４】
以下請求項ごとに実施の態様を説明する。
【００２５】
請求項１記載の考案は、夜間のペットの散歩中に後続者、対向者、自転車、あるいは自動車に自己およびペットの存在を認識させ注意を喚起する手段として、少ない電力で高輝度の発光体を内蔵したペット用の伸縮式発光リードを提供しようとするもので、そのリード本体の光源として有機エレクトロルミネッセンスロープあるいは有機エレクトロルミネッセンスシートの発光体を利用したものである。
【００２６】
請求項２記載の考案は、発光リード本体に有機エレクトロルミネッセンス発光体ロープを利用し、リードを発光させようとするものである。有機エレクトロルミネッセンス発光体ロープ自体は、電線が具備された構造でまわりが透過性のある薄い合成樹脂で保護されているが、それだけではペットの急な動き、あるいは、磨耗による劣化に耐えられない。そこで、内部の光源の露出がなるべく最大となるように、かつ、所望の引張り強度および耐摩耗性が備わるように、有機エレクトロルミネッセンス発光体ロープ芯に合成繊維組紐加工を施した。
【００２７】
請求項３記載の考案は、発光リード本体に有機エレクトロルミネッセンス発光体ロープを利用し、リードを発光させようとするものである。有機エレクトロルミネッセンス発光体ロープ自体は、電線が具備された構造でまわりが透過性のある薄い合成樹脂で保護されているが、それだけではペットの急な動き、あるいは、磨耗による劣化に耐えられない。そこで、被覆加工による内部の光源の輝度の低下が最小限になるように、かつ、所望の引張り強度および耐摩耗性が備わるように、有機エレクトロルミネッセンス発光体ロープ芯に透過性がありかつ弾性の性質を持つ合成樹脂素材で保護し、そのまわりに板状の合成繊維を施した。
【００２８】
請求項４、５、６記載の考案は、発光リード本体をリードケース内に巻き取ることによって、リードケース自体に懐中電灯機能を持たせようとするものである。リードが延びた状態でもある程度の照明機能を達成することが可能であるが、リードを巻き取り２次元的に密にすることによってより明るい照明機能を達成することが可能になる。なお、より高輝度の照明機能を持たせるために、リードケース全体を透明な素材で作成するのではなく、ケースの片面は透明素材、もう一方の面の内側には反射鏡のような光を反射する素材を施すことによって、透明な片面からの照明の明るさを増加させることも考えられる。
【産業上の利用可能性】
【００２９】
本考案は、ペット用発光リード以外にも利用が可能である。例えば、懐中電灯機能が備わっているので、災害などの緊急時の際の簡易照明にもなる。また他の利用方法として夜間においても測定が可能な発光メジャーが考えられる。これは、本考案の一形態である板状繊維加工を施したベルト部分において、板状繊維を目盛りが書き込まれた素材で置き換えることにより容易に構成することが可能である。
【図面の簡単な説明】
【００３０】
【図１】伸縮式発光リードの側面図である。
【図２】ロープ型発光リード本体の断面の斜視図である。
【図３】扁平型発光リード本体の断面の斜視図である。
【符号の説明】
【００３１】
１  透明リードケース（ロープ収納ケース部）  
２  発光リード  
３  伸縮調節ボタン  
４  発光スイッチ
５  フック
６  電線
７  チューブ
８  合成繊維組紐被覆
９  板状合成繊維
【図１】
0003125947.tif 000003
【図２】
0003125947.tif 000004
【図３】
0003125947.tif 000005